(57)【要約】【課題】針金や棒等によるサムターンの回転を阻止し、かつ、サムターンの摘みと扉面などとの間隙部分を覆い隠すことを可能とし、防犯性の向上を図る。【解決手段】扉２５に配設された錠箱２６に取り付けられる既存サムターン２３の摘み３１を覆う後付け防犯サムターンであって、摘み３１を包囲して被着される略円柱状の回動体５１と、回動体５１を覆い、回動体５１に対し既存サムターン２３の回動方向と同方向となって回動自在に支持されるとともに、回動体５１の周縁５１ｋを表出させる窓部５７ｂを有した空転部材５７と、空転部材５７の基端部に設けられ、回動体５１の基端部外周を覆う環状部６６と、環状部６６の基端面と錠箱表面２６ａとの間隙に介設されるとともに、環状部内周面６６ｂに摺接する突条部５９ａを備え、既存サムターン２３の軸部２９周囲を覆うカラー５９とを具備する。【選択図】　　　　図１
2004107891.tif 000002
【特許請求の範囲】
【請求項１】
扉の屋内面に取り付けられる既存サムターンの摘みを覆う後付け防犯サムターンであって、
前記摘みを包囲して被着される外形が略円柱状の回動体と、
前記回動体の基端面と前記屋内面との間隙に介設され、前記既存サムターンの軸部周囲を覆うカラーと、
を具備することを特徴とする後付け防犯サムターン。
【請求項２】
扉の屋内面に取り付けられる既存サムターンの摘みを覆う後付け防犯サムターンであって、
前記摘みを包囲して被着される外形が略円柱状の回動体と、
該回動体の基端部に設けられる環状部と、
該環状部の基端面と前記屋内面との間隙に介設されるとともに、前記環状部における内周面に摺接する突条部を備え、前記既存サムターンの軸部周囲を覆うカラーと、
を具備することを特徴とする後付け防犯サムターン。
【請求項３】
扉の屋内面に取り付けられる既存サムターンの摘みを覆う後付け防犯サムターンであって、
前記摘みを包囲して被着される外形が略円柱状の回動体と、
該回動体を前面から覆い、該回動体に対し前記既存サムターンの回動方向と同方向となって回動自在に支持されるとともに、該回動体の周縁を表出させる窓部を有した空転部材と、
前記回動体及び又は空転部材の基端面と前記扉の屋内面との間隙に介設され、前記既存サムターンの軸部周囲を覆うカラーと、
を具備することを特徴とする後付け防犯サムターン。
【請求項４】
扉の屋内面に取り付けられる既存サムターンの摘みを覆う後付け防犯サムターンであって、
前記摘みを包囲して被着される外形が略円柱状の回動体と、
該回動体を前面から覆い、該回動体に対し前記既存サムターンの回動方向と同方向となって回動自在に支持されるとともに、該回動体の周縁を表出させる窓部を有した空転部材と、
該空転部材の基端部に設けられ、前記回動体の基端部外周を覆う環状部と、
該環状部の基端面と前記扉の屋内面との間隙に介設されるとともに、前記環状部における内周面に摺接する突条部を備え、前記既存サムターンの軸部周囲を覆うカラーと、
を具備することを特徴とする後付け防犯サムターン。
【請求項５】
扉の屋内面に配設され錠機構部を内設した錠箱に取り付けられる既存サムターンの摘みを覆う後付け防犯サムターンであって、
前記摘みを包囲して被着される外形が略円柱状の回動体と、
該回動体を前面から覆い、該回動体に対し前記既存サムターンの回動方向と同方向となって回動自在に支持されるとともに、該回動体の周縁を表出させる窓部を有した空転部材と、
前記回動体及び又は空転部材の基端面と前記錠箱の表面との間隙に介設され、前記既存サムターンの軸部周囲を覆うカラーと、
を具備することを特徴とする後付け防犯サムターン。
【請求項６】
扉の屋内面に配設され錠機構部を内設した錠箱に取り付けられる既存サムターンの摘みを覆う後付け防犯サムターンであって、
前記摘みを包囲して被着される外形が略円柱状の回動体と、
該回動体を前面から覆い、該回動体に対し前記既存サムターンの回動方向と同方向となって回動自在に支持されるとともに、該回動体の周縁を表出させる窓部を有した空転部材と、
該空転部材の基端部に設けられ、前記回動体の基端部外周を覆う環状部と、
該環状部の基端面と前記錠箱の表面との間隙に介設されるとともに、前記環状部における内周面に摺接する突条部を備え、前記既存サムターンの軸部周囲を覆うカラーと、
を具備することを特徴とする後付け防犯サムターン。
【請求項７】
前記カラーは、前記屋内面に固着されことを特徴とする請求項１，２，３，４のいずれか１つに記載の後付け防犯サムターン。
【請求項８】
前記カラーは、前記既存サムターンの軸部周囲における前記錠箱の表面に固着されることを特徴とする請求項５又は６記載の後付け防犯サムターン。
【請求項９】
前記カラーは、前記既存サムターンの軸部に対して回転自在とされることを特徴とする請求項１，２，３，４，５，６のいずれか１つに記載の後付け防犯サムターン。
【請求項１０】
前記カラーは、先端が屈曲した固定片が一側に延設され、前記錠箱の表面から側部に沿って、該固定片が固着されることを特徴とする請求項８記載の後付け防犯サムターン。
【発明の詳細な説明】
【０００１】
【発明の属する技術分野】
本発明は、扉の施解錠操作に用いられる既存のサムターンを覆う後付け防犯サムターンに関する。
【０００２】
【従来の技術】
例えば扉に設けられる施錠装置は、屋外側に表出させたシリンダー錠の鍵孔に、合鍵（キー）を挿入して回動操作することにより、扉の木口より進退させたデッドボルトを扉枠に設けたストライクに係合・係合解除して施解錠を行うとともに、屋内側からは、サムターンの摘みを回動操作するのみで、デッドボルトを進退させて、扉の施解錠を簡便に行えるようにしている。
【０００３】
ところが、近年、ポスト口や、機械工具によって開けた小さな穴から針金等を挿入し、回転操作の容易なサムターンに係止して回転させ、施錠装置を解錠する不正解錠が増えている。このようなサムターンに針金等を係止して回転させることを防止するものに例えば下記特許文献１に開示されるサムターン用防犯カバーがある。
【０００４】
この防犯カバー１は、図８，図９に示すように、サムターン２が嵌入する嵌入孔３が形成されているとともに、回転時に円状軌跡２ｂを描くサムターン２の外面２ａを覆う部分が、円状軌跡に沿う円形状に形成されている。そして、嵌入孔３内に螺入してサムターン２の側面に当接し、両側から挟持するセットスクリュー４，４が設けられている。
このような構成からなる防犯カバー１は、嵌入孔３にサムターン２を挿入することで、サムターン２に防犯カバー１を覆うように被せる。その後セットスクリュー４，４を螺入させて締め付けることで、防犯カバー１をサムターン２に固定する。従って、サムターン２に被せた防犯カバー１によって、針金等を係止させて回転させることが難しくなる。
【０００５】
また、上記した防犯カバーの別態様として、図１０に示すように、防犯カバー１を、取付部５及び本体部６から構成したものが開示されている。取付部５は、上記の防犯カバー１の外形を手での操作が容易となるように形成し、本体部６が係止する係止突部５ａを設けている。取付部５は、サムターン２に被せた状態で、サムターン２を容易に回転させることができる。また、本体部６は、係止突部５ａに係止可能な係止部６ａを有している。このようにすることで、係止作業という簡単な作業で、防犯カバー１の着脱が行える。さらに係止部６ａで本体部６が空転することにより、針金等を係止させて回転させることが不可能となる。
【０００６】
さらに、上記した防犯カバーの別態様として、図１１に示すように、係止部６ａ内に、係止突部５ａとの間にバネ部材８を設け、本体部６側の外周縁に複数の係合凹部５ｂと、この係合凹部５ｂに係合可能な係合凸部６ｂとを設けたものが開示されている。
このような構成とすれば、本体部６を常に取り付けたままとしておくことができる。すなわち、常時は係止突部５ａと係止部６ａとで本体部６が空転し、サムターン２を回転させたいときは、本体部６を手で押圧し、係合凸部６ｂを取付部５の係合凹部５ｂに係合させ、この係合状態のまま本体部６を回転させることにより、サムターン２を回転させることができた。
【０００７】
【特許文献１】
実公平４−４０３６２号公報
【０００８】
【発明が解決しようとする課題】
しかしながら、上記した各防犯カバーは、サムターンの摘み部分における外形状を換え、回転操作を困難なものとする構成であるが、まず、図１０に示された防犯カバーでは、サムターンを回転操作可能にする取付部と、この取付部に対し空転しかつ着脱可能となる本体部とから構成されているため、脱着した本体部の保管管理が煩雑となり、本体部を紛失する虞があった。また、図１１に示された防犯カバーでは、本体部を常に取り付けたままとできるので、本体部の紛失はなくなるが、サムターンの回転操作時には本体部を手で押圧しながら回転させなければならないため、操作性を低下させた。
【０００９】
そして、これら防犯カバーによれば、サムターンの摘み部分と扉面などとのわずかな間隙部分については、防犯対策がなく、すなわち、この間隙部分において、不正な操作を行うことでサムターンを回転させてしまうような虞もあった。
【００１０】
本発明は上記状況に鑑みてなされたもので、その第一の目的は、針金や棒等によるサムターンの回転を阻止できるとともに、着脱部材を不要にし、しかも、従来同様の回転のみによる操作が可能となる後付け防犯サムターンを提供し、もって、防犯性、操作性の向上を図ることにある。また、その第二の目的は、サムターンの摘み部分と扉面などとの間隙部分を覆い隠すことの可能な後付け防犯サムターンを提供し、もって、防犯性の向上を図ることにある。
【００１１】
【課題を解決するための手段】
次に、上記の課題を解決するための手段を、実施の形態に対応する図面を参照して説明する。
この発明の請求項１記載の後付け防犯サムターンは、扉２５の屋内面２５ａに取り付けられる既存サムターン２３の摘み３１を覆う後付け防犯サムターンであって、
前記摘み３１を包囲して被着される外形が略円柱状の回動体７１と、
前記回動体７１の基端面７１ｂと前記屋内面２５ａとの間隙に介設され、前記既存サムターン２３の軸部２９周囲を覆うカラー５９と、
を具備することを特徴とする。
【００１２】
請求項２記載の後付け防犯サムターンは、扉２５の屋内面２５ａに取り付けられる既存サムターン２３の摘み３１を覆う後付け防犯サムターンであって、
前記摘み３１を包囲して被着される外形が略円柱状の回動体７１と、
該回動体７１の基端部に設けられる環状部７５と、
該環状部７５の基端面と前記屋内面２５ａとの間隙に介設されるとともに、前記環状部７５における内周面７５ｂに摺接する突条部５９ａを備え、前記既存サムターン２３の軸部２９周囲を覆うカラー５９と、
を具備することを特徴とする。
【００１３】
請求項３記載の後付け防犯サムターンは、扉２５の屋内面２５ａに取り付けられる既存サムターン２３の摘み３１を覆う後付け防犯サムターンであって、
前記摘み３１を包囲して被着される外形が略円柱状の回動体５１と、
該回動体５１を前面から覆い、該回動体５１に対し前記既存サムターン２３の回動方向と同方向となって回動自在に支持されるとともに、該回動体５１の周縁５１ｋを表出させる窓部５７ｂを有した空転部材５７と、
前記回動体５１及び又は空転部材５７の基端面５１ｂ，５７ｄと前記扉２５の屋内面２５ａとの間隙に介設され、前記既存サムターン２３の軸部２９周囲を覆うカラー５９と、
を具備することを特徴とする。
【００１４】
請求項４記載の後付け防犯サムターンは、扉２５の屋内面２５ａに取り付けられる既存サムターン２３の摘み３１を覆う後付け防犯サムターンであって、
前記摘み３１を包囲して被着される外形が略円柱状の回動体５１と、
該回動体５１を前面から覆い、該回動体５１に対し前記既存サムターン２３の回動方向と同方向となって回動自在に支持されるとともに、該回動体５１の周縁５１ｋを表出させる窓部５７ｂを有した空転部材５７と、
該空転部材５７の基端部に設けられ、前記回動体５１の基端部外周を覆う環状部６６と、
該環状部６６の基端面と前記扉２５の屋内面２５ａとの間隙に介設されるとともに、前記環状部６６における内周面６６ｂに摺接する突条部５９ａを備え、前記既存サムターン２３の軸部２９周囲を覆うカラー５９と、
を具備することを特徴とする。
【００１５】
請求項５記載の後付け防犯サムターンは、扉２５の屋内面２５ａに配設され錠機構部を内設した錠箱２６に取り付けられる既存サムターン２３の摘み３１を覆う後付け防犯サムターンであって、
前記摘み３１を包囲して被着される外形が略円柱状の回動体５１と、
該回動体５１を前面から覆い、該回動体５１に対し前記既存サムターン２３の回動方向と同方向となって回動自在に支持されるとともに、該回動体５１の周縁５１ｋを表出させる窓部５７ｂを有した空転部材５７と、
前記回動体５１及び又は空転部材５７の基端面と前記錠箱２６の表面２６ａとの間隙に介設され、前記既存サムターン２３の軸部２６周囲を覆うカラー５９と、
を具備することを特徴とする。
【００１６】
請求項６記載の後付け防犯サムターンは、扉２５の屋内面２５ａに配設され錠機構部を内設した錠箱２６に取り付けられる既存サムターン２３の摘み３１を覆う後付け防犯サムターンであって、
前記摘み３１を包囲して被着される外形が略円柱状の回動体５１と、
該回動体５１を前面から覆い、該回動体５１に対し前記既存サムターン２３の回動方向と同方向となって回動自在に支持されるとともに、該回動体５１の周縁５１ｋを表出させる窓部５７ｂを有した空転部材５７と、
該空転部材５７の基端部に設けられ、前記回動体５１の基端部外周を覆う環状部６６と、
該環状部６６の基端面と前記錠箱２６の表面２６ａとの間隙に介設されるとともに、前記環状部６６における内周面６６ｂに摺接する突条部５９ａを備え、前記既存サムターン２３の軸部２９周囲を覆うカラー５９と、
を具備することを特徴とする。
【００１７】
請求項７記載の後付け防犯サムターンは、請求項１，２，３，４のいずれか１つに記載の後付け防犯サムターンであって、前記カラー５９は、前記屋内面２５ａに固着されことを特徴とする。
ムターン。
【００１８】
請求項８記載の後付け防犯サムターンは、請求項５又は６記載の後付け防犯サムターンであって、前記カラー５９は、前記既存サムターンの２３軸部２９周囲における前記錠箱２６の表面２６ａに固着されることを特徴とする。
【００１９】
請求項９記載の後付け防犯サムターンは、請求項１，２，３，４，５，６のいずれか１つに記載の後付け防犯サムターンであって、前記カラー５９は、前記既存サムターン２３の軸部２９に対して回転自在とされることを特徴とする。
【００２０】
請求項１０記載の後付け防犯サムターンは、請求項８記載の後付け防犯サムターンであって、前記カラー５９は、先端が屈曲した固定片６０が一側に延設され、前記錠箱２６の表面２６ａから側部に沿って、該固定片６０が固着されることを特徴とする。
【００２１】
この後付け防犯サムターン２１によれば、既存サムターン２３の摘み３１が回動体５１によって覆われ、摘み３１が回動体５１によって操作可能となる。従って、針金や棒等を用いても回動体５１は滑りにより、摘み３１へ回転力を伝達しない。そして、サムターンの操作時には、回動体５１を摘むことで、従来同様の回転操作のみにより施解錠操作することが可能となる。
【００２２】
また、回動体５１に、回動体５１の一部を表出する空転部材５７が被される構成の場合では、針金や棒等を用いても回動体５１は滑りにより、また、空転部材５７は空回りにより摘み３１へ回転力を伝達しない。そして、サムターンの操作時には、空転部材５７と共に窓部５７ｂから表出した回動体５１を摘むことで、従来同様の回転操作のみにより施解錠操作することが可能となる。
【００２３】
さらに、既存サムターン２３の軸部２９周囲をカラー５９にて覆うことにより、摘み３１と扉２５の屋内面２５ａ或いは錠箱２６の屋内面２６ａとの間隙が覆い隠されることとなり、この間隙に対して針金などを用いて不正に解錠操作を行おうとしても、引っ掛かることなどがなく、不正解錠操作を防止する。
【００２４】
【発明の実施の形態】
以下、本発明に係る後付け防犯サムターンの好適な実施の形態を図面を参照して詳細に説明する。
図１は本発明に係る後付け防犯サムターンを既存サムターンと共に表した縦断面図、図２は図１に示した後付け防犯サムターンの正面図、図３は後付け防犯サムターンの分解側断面図である。
【００２５】
まず、本実施の形態による後付け防犯サムターン２１の説明に先立ち、後付け防犯サムターン２１によって覆われることとなる既存サムターン２３について説明する。
図１に示すように、扉２５には、その一方の面である屋内面２５ａに錠箱２６が設けられ、この錠箱２６の一側にはラッチボルト２７，デッドボルト２８が進退自在となって設けられ、また、これらを扉２５の木口から進退させる錠箱機構部が錠箱２６内に設けられている。
【００２６】
錠箱２６には、屋内側の表面である屋内面２６ａに既存サムターン２３を突設している。上記したデッドボルト２８は、扉２５の屋外側の面に設けたシリンダー錠（図示せず）をキーによって、又はこの既存サムターン２３の摘み３１を回動することによって扉２５の木口から進退可能となる。
【００２７】
既存サムターン２３は、錠箱２６内の機構部と連動連結される軸部としてのサムターン軸２９と、サムターン軸２９と相対回転不能に連結、若しくはこのサムターン軸２９と一体に形成される摘み３１とで大略構成される。
【００２８】
サムターン軸２９は、錠箱２６内の基端部が入力部となり、この入力部が図示しない錠箱機構部に連動連結嵌入される。サムターン軸２９は、錠箱２６に挿通支持され、図示しないＥリングなどの移動規制部材が取り付けられて、錠箱２６に対して抜脱が規制され、回動自在に支持される。サムターン軸２９の先端部は、錠箱２６から突出する摘み３１に相対回転不能に連結される。従って、既存サムターン２３は、摘み３１が回動されることで、サムターン軸２９を介して入力部により錠箱機構部内が操作され、デッドボルト２８が扉２５の木口側となる錠箱２６の側部から進退するようになっている。
なお、本実施の形態の錠箱２６は、図１に示すように、その屋内面２６ａが、上下各端部にて湾曲するように曲面により形成され、サムターン２３は、錠箱２６の上半部に位置し、屋内面２６ａに穿設される穴部をサムターン軸２９が貫通している。
【００２９】
本実施の形態による後付け防犯サムターン２１は、この既存サムターン２３に後付けすることができる。
後付け防犯サムターン２１は、摘み３１を挿入する嵌入穴５１ａを後面５１ｂに有し嵌入穴５１ａに挿入した摘み３１を螺着手段５３によって固定して摘み３１を包囲して被着される回動体５１と、回動体５１の前面５１ｃに取り付け固定され前端面にフランジ部５５ａを有した止軸５５と、湾曲面５７ａの反対側の面となる凹状内面で回動体５１を前面５１ｃから覆う略碗状に形成され止軸５５に回動自在に支持されるとともにフランジ部５５ａによって止軸５５からの抜脱が規制され、かつ回動体５１の周縁５１ｋを表出させる窓部５７ｂを有した空転部材５７と、回動体５１の基端面としての後面５１ｂ及び空転部材５７の基端面５７ｄと錠箱２６の屋内面２６ａとの間隙に介設されるカラー５９とを備えている。
【００３０】
回動体５１は、外形が略円柱状とされ、後面５１ｂ側の大径部５１ｄの前面に、小径部５１ｅを同軸上に形成することで、段部５１ｆを有している。大径部５１ｄの側面には半径方向に螺着手段５３であるネジ孔５１ｇが形成され、ネジ孔５１ｇは嵌入穴５１ａに通じている。このネジ孔５１ｇには螺着手段５３である固定用ネジ６１が螺合される。すなわち、回動体５１は、嵌入穴５１ａに摘み３１を挿入し、ネジ孔５１ｇに螺合した固定用ネジ６１を締め付けることで、固定用ネジ６１の先端を摘み３１に圧接して摘み３１に取り付け固定できるようになっている。つまり、回動体５１は、摘み３１と一体回転するように取り付けられる。
【００３１】
回動体５１の前面５１ｃ略中央には凹部５１ｈが形成され、凹部５１ｈには止軸５５の基端５５ｂが嵌入される。また、凹部５１ｈには嵌入穴５１ａから穿設される皿孔状の孔５１ｊが形成されている。一方、止軸５５には基端５５ｂにネジ孔５５ｃが軸線方向に穿設されている。止軸５５は、回動体５１の嵌入穴５１ａ内から孔５１ｊを挿通されるビス５２が、ネジ孔５５ｃに螺合されることで、基端５５ｂを凹部５１ｈに嵌合して取り付け固定される。
【００３２】
この止軸５５のフランジ部５５ａには回転位置表示手段５５ｄが設けられている。回転位置表示手段５５ｄは、微小な凹凸による標示、印刷や刻印、あるいは部分的な着色による色分け等とされている。例えば、図２に示すように、解錠時では回転位置表示手段５５ｄは縦長状とされており、施錠する場合、時計回り方向に回動体５１を９０度回転させると、横長状となり、解錠時と施錠時とが識別可能となっている。
【００３３】
空転部材５７は、中央部に止軸５５の挿通される貫通穴６３を有している。この貫通穴６３の碗部５７ｃ裏面における周縁６３ａは、回動体５１の段部５１ｆと当接されるようになっている。この状態で、空転部材５７は止軸５５に対して回転自在となる。従って、空転部材５７は、回動体５１に対して相対回転自在に保持される。
【００３４】
空転部材５７は、碗部５７ｃの湾曲面５７ａから突出して、貫通穴６３から曲面に沿って放射状に延在する複数、本実施の形態では４つの凸条部６５を有している。各凸条部６５は、碗部５７ｃの裾から延出している。
空転部材５７の各凸条部６５は、延出先端を、回動体５１の大径部５１ｄの外側に配置する。また、各凸条部６５の延出先端には、それぞれを連結するように環状の環状部６６が設けられる。この環状部６６は、回動体５１の基端面としての後面５１ｂ周縁部分の周囲を覆うように位置する。本実施の形態では、図３に示すように段部６６ａが形成され、空転部材５７の基端面５７ｄを形成する。
また、空転部材５７は、凸条部６５同士の間隙が窓部５７ｂとなっている。この窓部５７ｂからは、回動体５１の周縁５１ｋが表出するようになっている。
【００３５】
従って、回動体５１には空転部材５７と止軸５５とが組み付けられ、回動体５１が螺着手段５３によって摘み３１に固定されることで、後付け防犯サムターン２１全体が摘み３１に取り付け固定されることになる。
【００３６】
カラー５９は、錠箱２６における屋内面２６ａのサムターン軸２９が貫通している穴部の周囲に取り付けられる。本実施の形態の穴部は、図１，図３に示すように、その周囲に垂直面を備える凹部２６ｂが形成される。カラー５９は、図４に示すように、無端リング状に形成され、凹部２６ａに嵌入するとともに、この凹部２６ａの周囲を囲繞するように条状に形成される。また、カラー５９の前面には、突条部５９ａが形成される。この突条部５９ａは、既存サムターン２３の摘み３１の基端外周に位置し、この摘み３１の円状軌跡に沿って形成されている。
【００３７】
そして、このカラー５９は、錠箱２６の屋内面２６ａと既存サムターン２３の摘み３１との間隙に介在されてサムターン軸２９の周囲を覆うとともに、突条部５９ａが図３に示すように、摘み３１の基端外周に位置し、図１に示すように、この突条部５９ａの前端面が回動体５１の後面５１ｂ及び空転部材５７の基端面５７ｄと対向して、さらに、この突条部５９ａを覆うように環状部６６が位置し、環状部６７の内周面６６ｂが摺接するようになっている。
なお、本実施の形態では、錠箱２６の屋内面２６ａがやや湾曲形成とされていることから、カラー５９の厚みが上方に向かって増すように形成されており、凹部ｂに嵌入する部分とその周囲の屋内面２６ａに被着する部分とで段部を介し形成されている。
【００３８】
また、このカラー５９の上縁には固定片６０が延設されている。図３に示すように、この固定片６０は、先端が略Ｌ字状に屈曲形成されている。この固定片６０の裏面には、図４の背面図に示すように、接着剤や粘着テープなどの固着手段６０ａが設けられている。そして、この固定片６０は、錠箱２６の屋内面２６ａから上端面２６ｃに沿い、裏面の固着手段６０ａにて錠箱２６の表面に固定される。
【００３９】
次に本実施の形態の動作について説明する。
まず、屋内側から施錠する場合について説明する。
操作者は、窓部５７ｂから表出している回動体５１の周縁５１ｋを摘む。このとき、摘んだ手指は、空転部材５７も同時に摘むこととなっても良い。
【００４０】
摘んだ手を捻って回動体５１を例えば時計回りに回転させると、摘み３１もそれに伴って回動する。そして、例えば９０度回動されると、サムターン軸２９の入力部により錠箱機構部内が操作され、デッドボルトが扉２５の木口に進出する。
【００４１】
これにより屋内側から扉２５が施錠される。このとき、止軸５５のフランジ部５５ａの回転位置表示手段５５ｄは横長になっており、屋内側から施錠されていることが視認される。
【００４２】
なお、回動体５１の周縁５１ｋを摘んだ指が回動体５１の回動に伴って凸条部６５の側部に当接し、これによって、空転部材５７は回動体５１と同方向に回転する。
【００４３】
次に、施錠状態から解掟するときは、凸条部６５の間である窓部５７ｂより表出している回動体５１の周縁５１ｋを摘む。回動体５１を反時計回り方向に回転させると、サムターン軸２９もそれに伴って回転する。回動体５１が９０度回動されると、サムターン軸２９の入力部により錠箱機構部内が操作され、扉２５の木口に進出しているデットボルトが扉２５の木口から後退させられる。
【００４４】
これにより屋内側から扉２５が解錠される。このとき、凸条部６５のフランジ部５５ａの回転位置表示手段５５ｄは縦長になっており、屋内側から解錠されていることが視認される。
【００４５】
また、施錠時において、扉２５等に設けられた小窓を割り、或いは扉２５と扉枠の隙間から針金を差し入れて、外部より後付け防犯サムターン２１を不正に操作しようとする場合、回動体５１に係止しようとしても円板形状であるために係止することができす、針金が円周方向に滑ることとなる。
【００４６】
また、針金が凸条部６５に係止されようとしても、空転部材５７自身が止軸５５に対して回転自在であるため、空転部材５７が空転するのみであり、止軸５５及び摘み３１を回動させることができず、デッドボルトも進退しないこととなる。従って、不正解錠を防止することができる。
【００４７】
さらに、摘み３１と錠箱２６の屋内面２６ａとの間隙部分に、カラー５９が介在することから、間隙が覆われることとなり、この間隙に針金を差し入れたり紐などを挿入するなどしてサムターン軸２９に対しての不正な行為などが防止される。
【００４８】
このように、上記の後付け防犯サムターン２１によれば、既存サムターン２３の摘み３１が回動体５１によって覆われ、摘み３１が回動体５１によって操作可能となり、回動体５１には、回動体５１の一部を表出する空転部材５７が被される。従って、針金や棒等を用いても回動体５１は滑りにより、また、空転部材５７は空回りにより摘み３１へ回転力を伝達しない。そして、摘み３１の操作時には、窓部５７ｂから表出した回動体５１を摘むことで、従来同様の回転操作のみにより施解錠操作することが可能となる。
【００４９】
そして、回動体５１の外側に空転部材５７を配設するので、空転部材５７と共に、窓部５７ｂから表出した回動体５１を摘むことができ、回動体５１のみを摘む場合に比べて、指が滑り難くなり、またこの回動操作により空転部材５７が回動体５１とともに回動することから、操作者の操作感を得られ、操作性を良好にすることができる。
【００５０】
また、回動体５１に覆われることで視認できなくなった摘み３１の回転位置が、回転位置表示手段５５ｄを介して知ることができ、操作性を向上させることができる。
【００５１】
さらに、既存サムターン２３の摘み３１と錠箱２６の屋内面２６ａとの間隙部分には、カラー５９が介在することから、間隙が覆われることとなり、この間隙に針金を差し入れたり紐などを挿入するなどしてサムターン軸２９に対しての不正な行為などが防止される。特に、カラー５９に突条部５９ａを設け、空転部材５７の環状部６６に摺接する構造としたので、間隙部分の周囲がこの環状部６６と突条部５９ａとで二重に隠されることとなり、不正な行為の防止を確実なものとする。
また、カラー５９に、固定片６０を延設させ、この固定片６０を錠箱２６の表面に沿わせて接着固定したので、サムターン周りで、このカラー５９が脱落することがなく、間隙部分の表出を防ぐことが可能となる。
【００５２】
なお、上述した実施の形態では、凸条部６５を周方向に４つ形成することとしたが、４つに限定されることはなく、例えば、１個〜３個であってもよく、また５個以上であってもよい。この場合、凸条部６５同士の間隔は、回動体５１が指に摘まれて回動操作可能となる程度の間隔であればよい。
【００５３】
また、上述した実施の形態では、カラー５９の一側に固定片６０を延設し、錠箱２６に固着手段６０ａにて接着固定する例について述べたが、図５に示すように、固定片６０を備えない構成のカラー５９としても良く、この場合、カラー５９自体の裏面に接着剤などの固着手段を設け、錠箱２６に固着させる構成とする。
【００５４】
さらに、上述した実施の形態では、錠箱２６の形状が、屋内面２６ａ側がやや湾曲形成しており、この湾曲面に沿ってカラー５９が形成されている例について述べたが、錠箱２６の形状は、図６に示すように、屋内面２６ａが垂直な面とされる場合であってもよく、この場合には、カラー５９が、周方向に一様な厚さに形成される構成とすれば良い。そして、このような形状のカラー５９とした場合に、カラー５９は、錠箱２６に対して固着しなくともよく、すなわち、サムターン軸２９に対して回転自在に取り付けられる構成としても良い。この例によれば、空転部材５７とともにサムターンに対して回転が自在なこととなり、針金などによる不正な解錠操作に対して、サムターンと屋内面２６ａとの間にても空転し、不正解錠操作を防止することができる。
【００５５】
また、上述した実施の形態では、防犯サムターン２１として回動体５１と空転部材５７とを略備えた、既存サムターン２３に対して空転することで防犯性を得る構成とした例について述べたが、図７に示すように、既存サムターン２３の摘み３１を挿入する嵌入穴７１ａを基端部としての後面７１ｂに有した略円柱状の回動体７１にて構成する防犯サムターンとしても良い。
この回動体７１は、例えば、外形を略円柱状に形成するとともに前面を略球面状に形成し、嵌入穴７１ａに挿入した摘み３１を螺着手段７３にて固定する構成とする。また、この回動体７１の後面７１ｂにおける周縁部分を環状部７５とし、この環状部７５に軸線方向に延出する縁部７５ａを形成して、カラー５９の突条部５９ａに、その内周面７５ｂが摺接状態とさせる。
このような構成とすることで、針金や棒等を用いても回動体７１の外周面にて滑り、摘み３１へ回転力を伝達しない。そして、摘み３１の操作時には、回動体７１を摘むことで、従来同様の回転操作のみにより施解錠操作することが可能となる。
【００５６】
さらに、上述した実施の形態では、扉２５の屋内面２５ａに配設される錠箱２６の表面である屋内面２６ａに位置する既存サムターン２３に対して設けられる例について述べたが、錠箱機構部が扉２５に内設され、扉２５の屋内面２５ａに既存サムターン２３が配設される構成に対しても、上記カラー５９を既存サムターン２３のサムターン軸２９の周囲に設け、摘み３１に回動体を設ける構成とすれば、上記同様の効果を得られる。
【００５７】
【発明の効果】
以上説明したように、本発明に係る後付け防犯サムターンによれば、既存サムターンの摘みが回動体によって覆われ、摘みが回動体によって操作可能となる。従って、針金や棒等を用いても回動体は滑りにより、摘みへ回転力を伝達せず、既存サムターンへの回転力の入力を阻止することができる。そして、サムターンの操作時には、回動体を摘むことで、従来同様の回転操作のみにより施解錠操作することが可能となる。
【００５８】
また、回動体に、回動体の一部を表出する空転部材が被される構成の場合では、針金や棒等を用いても回動体は滑りにより、また、空転部材は空回りにより摘みへ回転力を伝達せず、既存サムターンへの回転力の入力を阻止することができる。そして、サムターンの操作時には、空転部材と共に窓部から表出した回動体を摘むことで、従来同様の回転操作のみにより施解錠操作することが可能となる。この結果、着脱部材を不要にし、防犯性、操作性を向上させることができる。
【００５９】
さらに、既存サムターンの軸部周囲をカラーにて覆うことにより、摘みと扉の屋内面或いは錠箱の屋内面との間隙が覆い隠されることとなり、この間隙に対して針金などを用いて不正に解錠操作を行おうとしても、回転などの操作は阻止され、不正解錠操作が防止される。
【００６０】
また、このカラーを回転自在とされることで、このカラーが既存サムターンの軸部周りを空転可能となり、軸部に対しての不正な操作を阻止可能となる。
【００６１】
さらに、カラーに固定片を延設し、錠箱に固着する構成とすることで、この錠箱に対してカラーが回転不能となるとともに、カラーを固着するための面積を多く採れることから、錠箱に対する固着状態を強固に構成できる。
【図面の簡単な説明】
【図１】本発明に係る後付け防犯サムターンを既存サムターンと共に表した縦断面図である。
【図２】図１に示した後付け防犯サムターンの正面図である。
【図３】後付け防犯サムターンの分解側断面図である。
【図４】カラーの背面図である。
【図５】他の実施の形態の後付け防犯サムターンの側断面図である。
【図６】他の実施の形態の後付け防犯サムターンの側断面図である。
【図７】他の実施の形態の後付け防犯サムターンの側断面図である。
【図８】従来の防犯カバーの扉への取り付け状態を示す斜視図である。
【図９】図８に示した防犯カバーの内部状態を表す断面図である。
【図１０】図８に示した防犯カバーの別態様を表す部分破断側面図である。
【図１１】図８に示した防犯カバーのさらに別態様を表す部分破断側面図である。
【符号の説明】
２１…後付け防犯サムターン
２３…既存サムターン
２５…扉
２５ａ…屋内面
２６…錠箱
２６ａ…表面（屋内面）
２９…軸部（サムターン軸）
３１…摘み
５１，７１…回動体
５１ｂ，７１ｂ…基端面（後面）
５１ｋ…周縁
５７…空転部材
５７ｂ…窓部
５９…カラー
５９ａ…突条部
６６，７５…環状部
６６ｂ，７５ｂ…内周面
【図１】
2004107891.tif 000003
【図２】
2004107891.tif 000004
【図３】
2004107891.tif 000005
【図４】
2004107891.tif 000006
【図５】
2004107891.tif 000007
【図６】
2004107891.tif 000008
【図７】
2004107891.tif 000009
【図８】
2004107891.tif 000010
【図９】
2004107891.tif 000011
【図１０】
2004107891.tif 000012
【図１１】
2004107891.tif 000013